(57)【要約】【課題】携帯性、収納性に優れた構成と操作性に優れた構成とに変更可能な光学情報読取装置を提供する。【解決手段】二次元コードリーダ１は、本体部１０を把持した状態で本体部単独で使用し得ると共に、本体部１０にグリップ部３０を装着することによりグリップ部３０を把持した状態で使用し得るものである。具体的には、本体部１０において、収容部１７に配置され、電池１３からの電力供給を受ける受電端子１６と、電池蓋１１と、蓋嵌入れ部１５とが設けられ、グリップ部３０には、二次電池３１と、収容部１７および蓋嵌入れ部１５に嵌入する嵌入部４０と、受電端子１６と接触して二次電池３１の電力を供給する給電端子３６とが設けられている。そして、電池１３を取り外し、収容部１７および蓋嵌入れ部１５に嵌入部４０を嵌入することにより、受電端子１６を給電端子３６に接触させ、グリップ部３０を本体部１０に装着する構成となっている。【選択図】図４
2008234634.tif 000002
【特許請求の範囲】
【請求項１】
光学的情報を読み取る読取手段、及び該読取手段に電力供給する電池を収容する収容部を有する本体部と、この本体部に装着されて一体的に使用可能なグリップ部とを備え、前記本体部を把持した状態で本体部単独で使用し得ると共に、前記本体部に前記グリップ部を装着することにより前記グリップ部を把持した状態で使用し得る光学的情報読取装置において、
前記本体部は、
前記収容部に配置され、前記電池からの電力供給を受ける受電端子と、
前記電池を取り外し可能にするための電池蓋と、
該電池蓋を嵌め入れさせる蓋嵌入れ部と、を備え、
前記グリップ部は、
二次電池と、
前記収容部および前記蓋嵌入れ部に嵌入するための嵌入部と、
該嵌入部に設けられ、前記受電端子と接触して前記二次電池の電力を供給する給電端子と、を備えており、
前記電池を取り外し、前記収容部および前記蓋嵌入れ部に前記嵌入部を嵌入することにより、前記受電端子を前記給電端子に接触させて、前記グリップ部を前記本体部に装着することを特徴とする光学的情報読取装置。
【請求項２】
前記グリップ部は、前記二次電池を充電するためのグリップ部側充電回路を持つことを特徴とする請求項１に記載の光学的情報読取装置。
【請求項３】
前記本体部は、前記二次電池を充電するための本体部側充電回路を持つことを特徴とする請求項１に記載の光学的情報読取装置。
【請求項４】
前記グリップ部はメモリを内蔵し、前記本体部は該メモリの情報に基づき操作し得ることを特徴とする請求項１〜３のいずれか一項に記載の光学的情報読取装置。
【請求項５】
前記グリップ部は、更に、ＡＣアダプタからの電力供給を受けるためのコネクタを備え、該ＡＣアダプタからの電力により前記グリップ部の前記二次電池に充電させることを特徴とする請求項１〜４のいずれか一項に記載の光学的情報読取装置。
【請求項６】
前記二次電池への充電は、グリップ部側充電回路又は本体部側充電回路によって充電されることを特徴とする請求項５記載の光学的情報読取装置。
【請求項７】
前記グリップ部は、載置部を有し、前記本体部に装着された状態で自立可能に構成されていることを特徴とする請求項１〜６のいずれか一項に記載の光学的情報読取装置。
【請求項８】
前記グリップ部は、
前記嵌入部において前記給電端子とは異なる位置に配置され、前記二次電池に設けられたセンサから当該二次電池の異常状態に関する状態信号が与えられる信号端子と、
外部操作可能なスイッチと、
前記スイッチが操作されることに応じて、前記信号端子を所定の信号状態に変化させる信号変化手段と、
を備え、
前記本体部は、
前記収容部及び前記蓋嵌入れ部に前記嵌入部が嵌入されたときに前記信号端子と接続される接続端子と、
前記接続端子と接続される前記信号端子の前記所定の信号状態を検出する検出手段と、
を備えており、
前記グリップ部の前記スイッチに対する外部操作を、前記検出手段による前記所定の信号状態の検出に基づいて前記本体部側で検出可能としたことを特徴とする請求項１から請求項７のいずれか一項に記載の光学的情報読取装置。
【請求項９】
前記読取手段は、前記検出手段により前記所定の信号状態が検出された場合に前記光学的情報の読取処理を開始することを特徴とする請求項８に記載の光学的情報読取装置。
【請求項１０】
前記スイッチは、少なくとも第１状態と第２状態とで切り替わる構成をなし、
前記信号変化手段は、前記スイッチが前記第１状態のときに、前記信号端子に対して前記センサからの前記状態信号を与え、前記スイッチが前記第２状態に切り替わったときに前記信号端子を所定レベル状態に変化させる構成をなしており、
前記本体部は、
前記スイッチが前記第１状態のときに、前記信号端子からの前記状態信号に基づいて前記二次電池の前記異常状態の検出を行い、
前記スイッチが前記第２状態に切り替わったとき、前記検出手段による前記所定レベル状態の検出に基づいて前記スイッチに対する前記外部操作を検出することを特徴とする請求項８又は請求項９に記載の光学的情報読取装置。
【請求項１１】
前記スイッチは、オフ状態とオン状態とで切り替わる構成をなし、
前記信号変化手段は、前記スイッチが前記オフ状態のときに、前記信号端子に対し前記センサの状態に応じた電圧信号を与え、前記スイッチが前記オン状態に切り替わったときに、前記信号端子の電圧レベルを所定の低レベル状態に変化させる構成をなしており、
前記本体部は、
前記スイッチが前記オフ状態のときに、前記信号端子からの前記電圧信号に基づいて前記二次電池の前記異常状態の検出を行い、
前記スイッチが前記オン状態に切り替わったとき、前記検出手段による前記所定の低レベル状態の検出に基づいて前記スイッチに対する前記外部操作を検出することを特徴とする請求項１０に記載の光学的情報読取装置。
【請求項１２】
前記スイッチは、前記二次電池に設けられた前記センサから前記信号端子までの信号ラインをオンオフする構成をなし、
前記信号変化手段は、前記スイッチがオン状態のときに、前記センサと前記信号端子とを接続して前記状態信号を前記信号端子に与え、前記スイッチがオフ状態のときに、前記センサと前記信号端子との接続を遮断する構成をなしており、
前記検出手段は、前記信号端子からの前記状態信号の出力開始を検出する構成をなしており、
前記本体部は、前記スイッチに対する前記外部操作を、前記検出手段による前記状態信号の出力開始検出に基づいて検出することを特徴とする請求項８又は請求項９に記載の光学的情報読取装置。
【請求項１３】
前記スイッチは、少なくとも、第１状態と、第２状態と、第３状態とで切り替わる構成をなしており、
前記信号変化手段は、前記スイッチが前記第２状態のときに前記信号端子を前記所定の信号状態に変化させ、前記第３状態のときに前記信号端子を前記所定の信号状態とは異なる第２の変化状態に変化させる構成をなしており、
前記検出手段は、前記所定の信号状態と前記第２変化状態とをそれぞれ検出可能とされており、
前記本体部は、前記検出手段による前記第２変化状態の検出に基づき、前記グリップ部の前記スイッチが前記第３状態に切り替えられたことを検出することを特徴とする請求項８から請求項１２のいずれか一項に記載の光学的情報読取装置。
【請求項１４】
前記本体部は、前記検出手段により前記所定の信号状態が検出された場合に前記読取手段により前記読取処理を開始し、前記第２変化状態が検出された場合、前記読取処理の開始とは異なる処理を行うことを特徴とする請求項１３に記載の光学的情報読取装置。
【発明の詳細な説明】
【技術分野】
【０００１】
本発明は、光学的情報読取装置に関するものである。
【背景技術】
【０００２】
従来より、光学情報読取装置の分野において例えば特許文献１のようなバーコードスキャナが提供されている。この種のバーコードスキャナは、いわゆるガンタイプとも称されるものであり、特許文献１ではその一例として、バーコード読取部が設けられた装置本体下方から把手部（グリップ部）が延びてなる形態のものが開示されている。このような構成とすると、作業者が読取作業を行う際の作業性、操作性に優れ、作業者が読取作業を良好に行うことができるようになる。
【特許文献１】特開平７−３１１８１２号公報
【発明の開示】
【発明が解決しようとする課題】
【０００３】
上記特許文献１では、電池を内蔵する把手部（グリップ部）を着脱可能とし、当該把手部に代えて交流電源に接続可能なアダプタ装置を装着可能としている。このようにすると、必要に応じてアダプタ装置を用いることができ、電池寿命の短縮化防止、ランニングコスト低減、及び軽量化を図りうることとなる。
【０００４】
ところで、上記のようなグリップ部を備えた構成（いわゆるガンタイプ構成）の場合、作業性や操作性が良好となる一方で、収納性や携帯性が悪化してしまうという問題がある。上記特許文献１では、電池を内蔵した把手部、或いは交流電源に接続可能なアダプタ装置のいずれかを選択的に装着できる構成とし、ユーザの利便性向上を図ってはいるが、把手部を用いた場合であっても、アダプタ装置を用いた場合であっても全体的に嵩張る構成となるため、携帯性、収納性の問題は依然として解消されない。
【０００５】
本発明は、上述した課題を解決するためになされたものであり、携帯性、収納性に優れた構成と操作性に優れた構成とに変更可能であると共に、いずれの構成においても読取作業を好適に行うことができ、ひいてはユーザの利便性を効果的に向上しうる光学情報読取装置を提供することを目的とする。
【課題を解決するための手段】
【０００６】
上記目的を達成するため、請求項１の発明は、光学的情報を読み取る読取手段、及び該読取手段に電力供給する電池を収容する収容部を有する本体部と、この本体部に装着されて一体的に使用可能なグリップ部とを備え、前記本体部を把持した状態で本体部単独で使用し得ると共に、前記本体部に前記グリップ部を装着することにより前記グリップ部を把持した状態で使用し得る光学的情報読取装置において、前記本体部が、前記収容部に配置され、前記電池からの電力供給を受ける受電端子と、前記電池を取り外し可能にするための電池蓋と、該電池蓋を嵌め入れさせる蓋嵌入れ部と、を備えており、前記グリップ部が、二次電池と、前記収容部および前記蓋嵌入れ部に嵌入するための嵌入部と、該嵌入部に設けられ、前記受電端子と接触して前記二次電池の電力を供給する給電端子と、を備えており、前記電池を取り外し、前記収容部および前記蓋嵌入れ部に前記嵌入部を嵌入することにより、前記受電端子を前記給電端子に接触させて、前記グリップ部を前記本体部に装着することを特徴とするものである。
【０００７】
請求項２の発明は、請求項１に記載の光学的情報読取装置において、グリップ部が、二次電池を充電するためのグリップ部側充電回路を持つことを特徴とするものである。
【０００８】
請求項３の発明は、請求項１に記載の光学的情報読取装置において、前記本体部が、前記二次電池を充電するための本体部側充電回路を持つことを特徴とするものである。
【０００９】
請求項４の発明は、請求項１〜３のいずれか一項に記載の光学的情報読取装置において、前記グリップ部はメモリを内蔵し、前記本体部は該メモリの情報に基づき操作し得ることを特徴とするものである。
【００１０】
請求項５の発明は、請求項１〜４のいずれか一項に記載の光学的情報読取装置において、前記グリップ部は、更に、ＡＣアダプタからの電力供給を受けるためのコネクタを備え、該ＡＣアダプタからの電力により前記グリップ部の前記二次電池に充電させることを特徴とするものである。
【００１１】
請求項６の発明は、請求項５記載の光学的情報読取装置において、前記二次電池への充電は、グリップ部側充電回路又は本体部側充電回路によって充電されることを特徴とするものである。
【００１２】
請求項７の発明は、請求項１〜６のいずれか一項に記載の光学的情報読取装置において、前記グリップ部が、載置部を有し、前記本体部に装着された状態で自立可能に構成されていることを特徴とするものである。
【００１３】
請求項８の発明は、請求項１から請求項７のいずれか一項に記載の光学的情報読取装置において、前記グリップ部は、前記嵌入部において前記給電端子とは異なる位置に配置され、前記二次電池に設けられたセンサから当該二次電池の異常状態に関する状態信号が与えられる信号端子と、外部操作可能なスイッチと、前記スイッチが操作されることに応じて、前記信号端子を所定の信号状態に変化させる信号変化手段と、を備え、前記本体部は、前記収容部及び前記蓋嵌入れ部に前記嵌入部が嵌入されたときに前記信号端子と接続される接続端子と、前記接続端子と接続される前記信号端子の前記所定の信号状態を検出する検出手段と、を備えており、前記グリップ部の前記スイッチに対する外部操作を、前記検出手段による前記所定の信号状態の検出に基づいて前記本体部側で検出可能としたことを特徴とする。
【００１４】
請求項９の発明は、請求項８に記載の光学的情報読取装置において、前記読取手段は、前記検出手段により前記所定の信号状態が検出された場合に前記光学的情報の読取処理を開始することを特徴とする。
【００１５】
請求項１０の発明は、請求項８又は請求項９に記載の光学的情報読取装置において、前記スイッチは、少なくとも第１状態と第２状態とで切り替わる構成をなし、前記信号変化手段は、前記スイッチが前記第１状態のときに、前記信号端子に対して前記センサからの前記状態信号を与え、前記スイッチが前記第２状態に切り替わったときに前記信号端子を所定レベル状態に変化させる構成をなしており、前記本体部は、前記スイッチが前記第１状態のときに、前記信号端子からの前記状態信号に基づいて前記二次電池の前記異常状態の検出を行い、前記スイッチが前記第２状態に切り替わったとき、前記検出手段による前記所定レベル状態の検出に基づいて前記スイッチに対する前記外部操作を検出することを特徴とする。
【００１６】
請求項１１の発明は、請求項１０に記載の光学的情報読取装置において、前記スイッチは、オフ状態とオン状態とで切り替わる構成をなし、前記信号変化手段は、前記スイッチが前記オフ状態のときに、前記信号端子に対し前記センサの状態に応じた電圧信号を与え、前記スイッチが前記オン状態に切り替わったときに、前記信号端子の電圧レベルを所定の低レベル状態に変化させる構成をなしており、前記本体部は、前記スイッチが前記オフ状態のときに、前記信号端子からの前記電圧信号に基づいて前記二次電池の前記異常状態の検出を行い、前記スイッチが前記オン状態に切り替わったとき、前記検出手段による前記所定の低レベル状態の検出に基づいて前記スイッチに対する前記外部操作を検出することを特徴とする。
【００１７】
請求項１２の発明は、請求項８又は請求項９に記載の光学的情報読取装置において、前記スイッチは、前記二次電池に設けられた前記センサから前記信号端子までの信号ラインをオンオフする構成をなし、前記信号変化手段は、前記スイッチがオン状態のときに、前記センサと前記信号端子とを接続して前記状態信号を前記信号端子に与え、前記スイッチがオフ状態のときに、前記センサと前記信号端子との接続を遮断する構成をなしており、前記検出手段は、前記信号端子からの前記状態信号の出力開始を検出する構成をなしており、前記本体部は、前記スイッチに対する前記外部操作を、前記検出手段による前記状態信号の出力開始検出に基づいて検出することを特徴とする。
【００１８】
請求項１３の発明は、請求項８から請求項１２のいずれか一項に記載の光学的情報読取装置において、前記スイッチは、少なくとも、第１状態と、第２状態と、第３状態とで切り替わる構成をなしており、前記信号変化手段は、前記第２状態のときに前記信号端子を前記所定の信号状態に変化させ、前記第３状態のときに前記信号端子を前記所定の信号状態とは異なる第２の変化状態に変化させる構成をなしており、前記検出手段は、前記所定の信号状態と前記第２変化状態とをそれぞれ検出可能とされており、前記本体部は、前記検出手段による前記第２変化状態の検出に基づき、前記グリップ部の前記スイッチが前記第３状態に切り替えられたことを検出することを特徴とする。
【００１９】
請求項１４の発明は、請求項１３に記載の光学的情報読取装置において、前記本体部は、前記検出手段により前記所定の信号状態が検出された場合に前記読取手段により前記読取処理を開始し、前記第２変化状態が検出された場合、前記読取処理の開始とは異なる処理を行うことを特徴とする。
【発明の効果】
【００２０】
請求項１の発明によれば、グリップ部を用いないときには本体部に設けられた電池によって給電され、グリップ部を用いるときには、嵌入部に設けられた給電端子を介してグリップ部側から本体部側に給電される。従って、本体部単独で使用する場合にも、グリップ部を装着して使用する場合にも読取手段に対する電力供給が良好に実現される。さらに、電池を収容する収容部及び電池蓋を収容する蓋嵌入れ部をグリップ部の装着に兼用しているため、部品点数の増加や装置構成の大型化を抑えつつ、上記構成を実現できることとなる。
【００２１】
請求項２の発明によれば、グリップ部において二次電池を充電するためのグリップ部側充電回路が設けられているため、グリップ部内の二次電池の充電を外部電力に基づいて好適に行うことができる。
【００２２】
請求項３の発明によれば、本体部において二次電池を充電するための本体部側充電回路が設けられているため、グリップ部内の二次電池の充電を、本体部側からの電力供給に基づいて好適に行うことができる。
【００２３】
請求項４の発明によれば、グリップ部の内部を利用してソフトウェアや各種情報を記憶できるようになるため、装置の高機能化を図りやすくなる。
【００２４】
請求項５の発明では、グリップ部においてＡＣアダプタからの電力供給を受けるためのコネクタが設けられており、外部交流電源を利用してグリップ部を直接充電できる構成となっている。従って、グリップ部単体であってもグリップ部内の二次電池を充電できることとなり、極めて利便性に優れた構成となる。
【００２５】
請求項６の発明によれば、二次電池をグリップ部側からでも本体部側からでも充電できるようになるため、充電の自由度がより大きくなる。
【００２６】
請求項７の発明は、グリップ部が載置部を有しており、本体部に装着された状態で自立可能に構成されているため、当該光学的情報読取装置を、ハンディタイプとしてだけでなく、定置式の装置としても機能させることができる。
【００２７】
請求項８の発明では、グリップ部の嵌入部に設けられた信号端子に、二次電池に設けられたセンサから当該二次電池の異常状態に関する状態信号が与えられるとと共に、スイッチが操作されることに応じて、この信号端子が所定の信号状態に変化するように構成されている。さらに本体部には、嵌入時に信号端子と接続される接続端子が設けられており、グリップ部のスイッチに対する外部操作を、検出手段による所定の信号状態の検出に基づいて本体部側で検出している。このようにすれば、二次電池の状態信号を利用してスイッチに対する外部操作を本体部側で検出でき、またその検出のための回路構成や端子構成を大幅に簡素化できる。
【００２８】
請求項９の発明では、検出手段により所定の信号状態が検出された場合に光学的情報の読取処理を開始するようにしている。このようにすれば、二次電池の状態信号を利用して読取処理の開始トリガ信号を生成、検出でき、トリガ信号を発生、検出するための特別な独立構成を設けずに済む。
【００２９】
請求項１０の発明では、スイッチが第１状態のときに信号端子に対してセンサからの状態信号を与えており、このとき本体部側では、信号端子からの状態信号に基づいて二次電池の異常状態の検出を行うようにしている。このようにすれば、スイッチが第１状態のときには、本体部側で二次電池の異常状態の検出を良好に行うことができる。また、スイッチが第２状態に切り替わったときに信号端子が所定レベル状態に変化するようになっており、このとき本体部側では、所定レベル状態の検出に基づいてスイッチに対する外部操作を検出するようにしている。従って、信号端子を利用してスイッチを第２状態に切り替える外部操作をも良好に検出できるようになる。このように、信号端子を異常状態の検出と外部操作の検出に良好に兼用できるため、簡易且つ部品点数を抑えた構成にて高機能を好適に実現できる。
【００３０】
請求項１１の発明では、スイッチがオフ状態のとき、本体部側では、信号端子からの電圧信号に基づいて二次電池の異常状態の検出を行い、スイッチがオン状態に切り替わったとき、本体部側では、所定の低レベル状態の検出に基づいてスイッチに対する外部操作を検出している。このようにすれば、二次電池の異常状態の検出と、スイッチに対する外部操作の検出とを共に本体部側で行いうる構成を、信号端子を利用して簡易且つ良好に実現できる。
【００３１】
請求項１２の発明は、二次電池に設けられたセンサから信号端子までの信号ラインをスイッチによってオンオフする構成をなし、スイッチがオン状態のときに、センサと信号端子とを接続して状態信号を信号端子に与え、スイッチがオフ状態のときに、センサと信号端子との接続を遮断する構成をなしている。そして、本体部側では、スイッチに対する外部操作を、検出手段による状態信号の出力開始検出に基づいて検出している。このように状態信号の有無を本体部側で検出するようにすれば、スイッチに対する外部操作を本体部側で精度高く検出できるようになり、その検出のための構成も複雑化せずに済む。
【００３２】
請求項１３の発明は、スイッチが第２状態のときに信号端子を所定の信号状態に変化させ、第３状態のときに信号端子を所定の信号状態とは異なる第２の変化状態に変化させる構成をなしている。そして、本体部は、第２変化状態の検出に基づき、グリップ部のスイッチが３状態に切り替えられたことを検出している。このようにすれば、本体部側でスイッチに関する３つの状態（第１状態、第２状態、第３状態）を把握できるようになり、また、そのための回路構成や端子構成を簡易な構成とすることができる。
【００３３】
請求項１４の発明は、検出手段により所定の信号状態が検出された場合に読取処理を開始し、第２変化状態が検出された場合には、読取処理の開始とは異なる処理を行うように構成されている。このようにすれば、グリップ部における複数の操作状態にそれぞれ対応させて本体部側で異なる複数の処理を実行できるようになり、操作性、機能性に優れた構成を実現できる。
【発明を実施するための最良の形態】
【００３４】
[第１実施形態]
まず、本発明の光学情報読取装置を二次元コードリーダ１に適用した第１実施形態を図面に基づいて説明する。
図１に示すように、二次元コードリーダ１は、主に、照明光源５１、受光センサ５３、フィルタ５５、結像レンズ５７等の光学系と、メモリ６５、制御回路７０、操作スイッチ７２、液晶表示器７６等のマイクロコンピュータ（以下「マイコン」という）系と、電源スイッチ７１、電池７９等の電源系と、から構成されている。なお、これらは、図略のプリント配線板に実装あるいはケース１２（図２）内に内装されている。
【００３５】
光学系は、照明光源５１、受光センサ５３、フィルタ５５、結像レンズ５７等から構成されている。照明光源５１は、照明光Ｌｆを発光可能な照明光源として機能するもので、例えば、赤色のＬＥＤとこのＬＥＤの出射側に設けられる拡散レンズ、集光レンズ等とから構成されている。本実施形態では、受光センサ５３を挟んだ両側に照明光源５１が設けられており、ケース１２（図２）の読取口１９を介して読取対象物Ｒに向けて照明光Ｌｆを照射可能に構成されている。この読取対象物Ｒは、例えば、包装容器や包装用紙あるいはラベルといった表示媒体に相当するもので、その表面には情報コードＱとして例えば二次元コードが印刷されている。
【００３６】
受光センサ５３は、制御回路７０と共に読取手段を構成するものであり、読取対象物Ｒや情報コードＱに照射されて反射した反射光Ｌｒを受光可能に構成されるもので、例えば、Ｃ−ＭＯＳやＣＣＤ等の固体撮像素子である受光素子を２次元に配列したエリアセンサが、これに相当する。この受光センサ５３は、結像レンズ５７を介して入射する入射光をこの受光面５３ａで受光可能に図略のプリント配線板に実装されている。
【００３７】
フィルタ５５は、反射光Ｌｒの波長相当以下の光の通過を許容し、当該波長相当を超える光の通過を遮断し得る光学的なローパスフィルタで、ハウジングの読取口と結像レンズ５７との間に設けられている。これにより、反射光Ｌｒの波長相当を超える不要な光が受光センサ５３に入射することを抑制している。
【００３８】
結像レンズ５７は、外部から読取口１９（図２）を介して入射する入射光を集光して受光センサ５３の受光面５３ａに像を結像可能な結像光学系として機能するもので、例えば、鏡筒とこの鏡筒内に収容される複数の集光レンズとにより構成されている。本実施形態では、照明光源５１から照射された照明光Ｌｆが情報コードＱに反射して読取口に入射する反射光Ｌｒを集光することにより、受光センサ５３の受光面５３ａに情報コードＱのコード画像を結像可能にしている。
【００３９】
次に、マイコン系の構成概要を説明する。マイコン系は、増幅回路６１、Ａ／Ｄ変換回路６３、メモリ６５、アドレス発生回路６６、同期信号発生回路６８、制御回路７０、操作スイッチ７２、ＬＥＤ７３、ブザー７４、液晶表示器７６、通信インタフェース７８等から構成されている。このマイコン系は、その名の通り、マイコン（情報処理装置）として機能し得る制御回路７０およびメモリ６５と中心に構成されるもので、前述した光学系によって撮像された情報コードＱの画像信号をハードウェア的およびソフトウェア的に信号処理し得るものである。また制御回路７０は、当該二次元コードリーダ１の全体システムに関する制御も行っている。
【００４０】
光学系の受光センサ５３から出力される画像信号（アナログ信号）は、増幅回路６１に入力されて所定ゲインで増幅された後、Ａ／Ｄ変換回路６３に入力されると、アナログ信号からディジタル信号に変換される。そして、ディジタル化された画像信号、つまり画像データ（画像情報）は、メモリ６５に入力されると、画像データ蓄積領域に蓄積される。なお、同期信号発生回路６８は、受光センサ５３およびアドレス発生回路６６に対する同期信号を発生可能に構成されており、またアドレス発生回路６６は、この同期信号発生回路６８から供給される同期信号に基づいて、メモリ６５に格納される画像データの格納アドレスを発生可能に構成されている。
【００４１】
メモリ６５は、半導体メモリ装置で、例えばＲＡＭ（ＤＲＡＭ、ＳＲＡＭ等）やＲＯＭ（ＥＰＲＯＭ、ＥＥＰＲＯＭ等）がこれに相当する。このメモリ６５のうちのＲＡＭには、前述した画像データ蓄積領域のほかに、制御回路７０が算術演算や論理演算等の各処理時に利用する作業領域や読取条件テーブルも確保可能に構成されている。またＲＯＭには、後述する読取処理等を実行可能な所定プログラムやその他、照明光源５１、受光センサ５３等の各ハードウェアを制御可能なシステムプログラム等が予め格納されている。
【００４２】
制御回路７０は、二次元コードリーダ１全体を制御可能なマイコンで、ＣＰＵ、システムバス、入出力インタフェース等からなるもので、メモリ６５とともに情報処理装置を構成し得るもので情報処理機能を有する。この制御回路７０には、内蔵された入出力インタフェースを介して種々の入出力装置（周辺装置）と接続可能に構成されており、本実施形態の場合、電源スイッチ７１、操作スイッチ７２、ＬＥＤ７３、ブザー７４、液晶表示器７６、通信インタフェース７８等が接続されると共に、後述するグリップ部３０側からの信号線Ｓ１が接続されている。なお、本実施形態では制御回路７０及び受光センサ５３により読取手段が構成されている。
【００４３】
これにより、例えば、電源スイッチ７１や操作スイッチ７２（又は操作スイッチ３７）の監視や管理、またインジケータとして機能するＬＥＤ７３の点灯・消灯、ビープ音やアラーム音を発生可能なブザー７４の鳴動のオンオフ、さらには読み取った情報コードＱによるコード内容を画面表示可能な液晶表示器７６の画面制御や外部装置とのシリアル通信を可能にする通信インタフェース７８の通信制御等を可能にしている。
【００４４】
電源系は、電源スイッチ７１、電池１３（又は後述する二次電池３１）等により構成されており、制御回路７０により管理される電源スイッチ７１のオンオフによって、上述した各装置や各回路に、電池１３から供給される駆動電圧の導通や遮断が制御されている。なお、電池１３は、所定の直流電圧を発生可能な二次電池（例えば、リチウムイオン電池等）によって構成してもよく、一次電池によって構成してもよい。
【００４５】
次に、本実施形態に係る二次元コードリーダ１について、グリップ部３０を装着した態様と、装着しない態様について説明する。
図２は、二次元コードリーダ１についてのグリップ部３０を装着しない態様を例示する側面図である。図３は、図２の本体部１０を電池蓋１１側から見た状態について概略的に示す斜視図である。図４は、図３から電池蓋１１を取り外した状態を示す斜視図である。図５は、二次元コードリーダ１において、電池１３及び電池蓋１１を取り外し、グリップ部３０を装着する様子を説明する説明図である。また、図６は、二次元コードリーダ１において、グリップ部３０を装着した態様を例示する側面図である。
【００４６】
本実施形態の二次元コードリーダ１は、本体部１０を把持しつつ本体部単独で使用得る図２の態様と、グリップ部３０を把持した状態で使用し得る図６の態様とで切り替え可能とされている。このうち、本体部１０は、図１に示すように、光学的情報を読み取る受光センサ５３などを備えた上述の光学系や、電源系、マイコン系などを備えており、これらが図２に示すケース１２内に収容された構成をなしている。そして、ケース１２の一端側に設けられた読取口１９を介して照明光Ｌｆ（図１）を外部に発すると共に、この読取口１９から反射光Ｌｒ（図１）を取り込む構成をなしている。
【００４７】
図２〜図４に示すように、本体部１０には、電池１３を収容する収容部１７と、電池１３を取り外し可能にするための電池蓋１１と、電池蓋１１を嵌め入れさせる蓋嵌入れ部１５とが設けられており、ケース１２に対して電池１３を着脱しうる構成となっている。図４に示すように、収容部１７は、電池１３を出し入れする開口部１７ａを備えて一方が開放した箱状形態をなしている。また、蓋嵌入れ部１５は、開口部１７ａを介して収容部１７と連通する段差状に構成されると共に、収容部１７の開口部１７ａよりも一回り大きい開口部１５ａが形成され、この開口部１５ａを介して電池蓋１１の出し入れを可能としている。図２、図３に示すように、電池蓋１１は、蓋嵌入れ部１５と嵌合する形態をなし、かつ収容部１７の開口部１７ａ全体を覆う形態及びサイズとされている。
【００４８】
なお、蓋嵌入れ部１５に電池蓋１１を保持させる構成としては、例えばいずれか一方に係合部（例えば爪部）を形成し、他方にこの係合部と係合する被係合部（例えば爪受け部）を形成することで実現することができる。また、このようにせずに、電池蓋１１を蓋嵌入れ部１５に嵌め入れた状態でねじ等の締結部材によって締め付けるようにしてもよい。
【００４９】
また、図２に示すように、収容部１７には、電池１３の端子（図示略）と当接して当該電池１３からの電力供給を受ける受電端子１６が設けられている。この受電端子１６には図示しない電源回路などが接続されて電源系が構成されており、上述の光学系やマイコン系などに対する電力供給を可能としている。
【００５０】
図５、図６に示すように、グリップ部３０は、本体部１０に装着されてこの本体部１０と一体的に使用されるものであり、二次電池３１と、この二次電池３１の収容部として機能するハウジング３３と、このハウジング３３と一体的に連結した嵌入部４０とを備えている。嵌入部４０は、収容部１７及び蓋嵌入れ部１５に嵌入される部分であり、収容部１７に嵌入される第一嵌入部３９と、蓋嵌入れ部１５に嵌入される第二嵌入部３８とからなる。第一嵌入部３９は、収容部１７と嵌合する形態をなしており、第一嵌入部３９の側壁面３９ａと収容部１７の内壁面１７ｂ（図４）とが互いに当接する構成となっている。なお、図６の例では、第一嵌入部３９の端面３９ｂと収容部１７の天井面１７ｃとが当接しない構成（端面３９ｂと天井面１７ｃとが隙間を隔てて対向する構成）として若干の余裕をもたせているが、第一嵌入部３９の端面３９ｂと収容部１７の天井面１７ｃとが嵌入時に当接する構成とし、装着の安定性を向上させてもよい。
【００５１】
第二嵌入部３８は、ハウジング３３の延出方向に対し側方（延出方向と交差する向き）に張り出すフランジ状に構成されており、当該第二嵌入部３８の外縁部分を構成する外縁部３８ａの形状が、電池蓋１１の外縁形状とほぼ同形状とされ、蓋嵌入れ部１５の開口形状ともほぼ同形状とされている。また、嵌入部４０が収容部１７及び蓋嵌入れ部１５に嵌入される嵌入時において、第二嵌入部３８における第一嵌入部３９側の面３８ｂが、蓋嵌入れ部１５における電池蓋１１の支持面１５ｂ（即ち電池蓋１１の板面を支持する面）と当接する構成をなしており、グリップ部３０の装着の安定化が図られている。
【００５２】
また、嵌入部４０には、受電端子１６と接触して二次電池３１の電力を本体部１０側に供給する給電端子３６が設けられている。この給電端子３６は、第一嵌入部３９において外部に露出（より詳しくは嵌入時に受電端子１６と当接する位置で露出）して設けられており、図６に示す嵌入時において受電端子１６と給電端子３６とが互いに押圧し合う構成となっている。つまり、図２の構成から、電池１３を取り外し、収容部１７および蓋嵌入れ部１５に嵌入部４０を嵌入することにより、受電端子１６へ接続される電源が電池１３から二次電池３１に切り替わることとなる。
【００５３】
さらに、図７に示すように、グリップ部３０には二次電池３１を充電するためのグリップ部側充電回路４４が設けられ、さらに、ＡＣアダプタ９０からの電力供給を受けるためのコネクタ４３が設けられている。コネクタ４３は、例えば雌型コネクタとして構成されており、ＡＣアダプタ９０に形成された雄型コネクタ（図示略）が挿し込まれる構成となっている。なお、コネクタ４３は、ＡＣアダプタ９０からの電力供給を受けうるものであれば、上記例に限らず種々の構成を採用できる。
【００５４】
ＡＣアダプタ９０は、商用電源などの外部交流電源９１に接続されるものであり、交流電源を直流電源に変換する変換機として機能する。ＡＣアダプタ９０からの直流電流はコネクタ４３を介してグリップ部３０内に供給されることとなる。グリップ部側充電回路４４は、図７に示すようにＡＣアダプタ９０と二次電池３１との間に介在するものであり、二次電池３１に充電を行うための公知の充電制御回路等から構成されている。なお、グリップ部側充電回路４４は、二次電池３１を充電しうる回路構成であれば公知の種々の方式を用いることができる。
【００５５】
また、本体部１０にも、二次電池３１を充電するための本体部側充電回路４８が設けられている。二次電池３１への充電は、グリップ部側充電回路４４及び本体部側充電回路４８のいずれによっても行うことができるようになっている。本体部側充電回路４８は、本体部１０に設けられた充電電極１４を介して外部電源（図示略）からの電力供給を受けうる構成をなしており、電池１３の装着時には受電端子１６を介して電池１３を充電し、他方、グリップ部３０の装着時には受電端子１６及び給電端子３６を介して二次電池３１を充電する構成となっている。
【００５６】
なお、図７では、受電端子１６、給電端子３６について簡略化して示しているが、受電端子１６及び給電端子３６の端子数は２以上とすることができ、これら端子１６，３６に接続されるラインも２以上とすることができる。また、本体部側充電回路４８は、充電電極１４を介して外部から電力供給を受ける構成をなし、この充電電極１４には交流／直流変換機能を有する公知の充電器が接続可能とされているが、本体部１０にＡＣアダプタを接続する構成とし、このＡＣアダプタから本体部側充電回路１４に電力が供給される構成としてもよい。
【００５７】
また、本実施形態に係る二次元コードリーダ１では、本体部１０及びグリップ部３０のいずれにもトリガスイッチが設けられている。本体部１０には、図１、図２示すようにトリガスイッチとしての操作スイッチ７２が設けられており、この操作スイッチ７２の操作に応じてトリガ信号が制御回路７０に与えられるようになっている。一方、グリップ部３０にもトリガスイッチとしての操作スイッチ３７が設けられており、操作スイッチ３７が操作されると、この操作スイッチ３７とスイッチＳＷ１が連動してオンとなり、電源Ｖ１側から抵抗Ｒ１、端子９６，９７を介してグランド側に電流が流れる。これにより、非操作時にハイレベルに維持される信号線Ｓ１がローレベルに変化し、このローレベル信号がトリガ信号として制御回路７０に与えられることとなる。
【００５８】
なお、操作スイッチ３７から本体部１０側にトリガ信号を与える構成としては、図８のように無線方式を用いてもよい。図８の例では、グリップ部３０側に発光ダイオードＤ１が設けられ、本体部１０側にフォトトランジスタＴＲ１が設けられている。グリップ部３０の装着時には発光ダイオードＤ１とフォトトランジスタＴＲ１が対向する構成をなしており、操作スイッチ３７の操作に応じてスイッチＳＷ１がオンとなり、電源Ｖ２側から発光ダイオードＤ１に電流が流れることで、発光ダイオードＤ１からの光がフォトトランジスタＴＲ１に入光し、フォトトランジスタＴＲ１がオンする構成となっている。非操作時にハイレベルに維持される信号線Ｓ１はフォトトランジスタＴＲ１のオンによってローレベルに変化し、このローレベル信号がトリガ信号として制御回路７０に与えられることとなる。
【００５９】
なお、無線方式としては、この構成に限らず、グリップ部３０から本体部１０にトリガ信号を伝達しうる構成であれば、赤外線、可視光線、電波等を媒介とした各種無線方式を採用することができる。
【００６０】
次に、グリップ部３０に内蔵されるメモリ４５について説明する。図７に示すように、メモリ４５は、例えば不揮発性の半導体メモリとして構成されるものであり、端子９４、９５を介して本体部１０側と電気的に接続され、これら端子９４、９５を介して本体部１０側からアクセス可能とされている。即ち、本体部１０はメモリ４５の情報に基づき操作し得る構成となっている。より詳しくは、メモリ４５は、グリップ部３０に設けられた図示しないメモリスロットに着脱される構成をなしており、装着時にはグリップ部３０のハウジング３３内に収容されるようになっている。
【００６１】
なお、図７では、メモリ４５へのアクセスライン９２，９３及び端子９４、９５を簡略化して示しているが、端子９４、９５はそれぞれ複数とすることができ、各端子９４、９５に接続されるアクセスライン９２，９３も複数とすることができる。
【００６２】
次に、図９、図１０を参照し、載置部４１について説明する。図９は、二次元コードリーダ１において載置部４１を用いる態様を例示する側面図であり、図１０は、その載置部４１の概略構成を拡大して示す斜視図である。図９、図１０に示すように、グリップ部３０は、二次元コードリーダ１を定置式装置として機能させるための載置部４１を備えており、グリップ部３０が本体部１０に装着された状態で自立可能に構成されている。具体的には、グリップ部３０の先端部が変位可能となっており、グリップ部３０の端面が外面３４ｂ，３５ｂによって構成され端面面積（外面３４ｂ，３５ｂの合計面積）が小である第一の態様（図６参照）と、グリップ部３０の端面が外面３４ａ，３５ａによって構成され端面面積（外面３４ａ，３５ａの合計面積）が大となる第二の態様（図９参照）とに変更可能とされている。
【００６３】
グリップ部３０の端部は、２つの変位部によって構成されており、図６の状態から第一変位部３４と第二変位部３５の先端が開くように変位することで、図９のように端面面積を大とする第二の態様に変化するようになっている。より詳しくは、第一変位部３４は、軸Ｇ１を中心として回動することで、本体部１０の長手方向前方（本体部１０の長手方向において読取口１９側）に延出し、グリップ部３０のストッパ部４４ａで保持されるようになっている。他方、第二変位部３５は、軸Ｇ１と平行な軸Ｇ２を中心として回動することで、本体部１０の長手方向後方（本体部１０の長手方向において読取口１０とは反対側）に延出し、グリップ部３０のストッパ部４４の位置で保持されるようになっている。これにより、載置部４１の端面が本体部１０の長手方向に沿って延びる形態となり、端面面積が図６の態様と比較して大となる。
【００６４】
上記の二次元コードリーダ１は、以下のように作動する。
例えば、図１に示す電源スイッチ７１がオンされて所定の自己診断処理等が正常終了し、情報コードＱの読み取りが可能な状態になると、照明光Ｌｆの発光を指示するトリガスイッチの入力を受け付ける。本体部１０のみで読取動作を行う場合、操作スイッチ７２の入力を受け付け、グリップ部３０を用いた読取動作を行う場合には操作スイッチ３７の入力を受け付ける。これにより、作業者が操作スイッチ７２又は３７を押圧しオンにすることで、制御回路７０が同期信号を基準に照明光源５１に発光信号を出力するので、当該発光信号を受けた照明光源５１は、ＬＥＤを発光させて照明光Ｌｆを照射する。
【００６５】
すると、情報コードＱに照射された照明光Ｌｆが反射しその反射光Ｌｒが読取口１９（図２等）およびフィルタ５５を介して結像レンズ５７に入射するため、受光センサ５３の受光面５３ａには、結像レンズ５７により情報コードＱの像、つまりコード画像が結像される。これにより、受光素子が露光されるので、制御回路７０による読取処理のコード画像取得処理によって画像信号によるコード画像の取得が可能となり、取得されたコード画像を２値化した後、所定の情報処理を施すことによって、このような情報コードＱとして符号化された文字データ等をデコード、つまり読み取り可能にしている。
【００６６】
そして、デコードに成功した場合には、その旨を示す報知出力（例えば「ＯＫ」の文字、短いビープ音や緑色光）を、またデコードに失敗した場合には、その旨を示す報知出力（例えば「ＮＧ」の文字、長いビープ音や赤色光）を、液晶表示器７６、ブザー７４やＬＥＤ７３により出力することによって、当該二次元コードリーダ１の使用者に情報コードＱの読み取りの可否を報知する。また、デコードに成功した場合には、デコードされたデータ、つまり情報コードＱの内容を液晶表示器７６に出力したり、通信インタフェース７８を介してホストコンピュータ（図示略）に出力する。このような動作の概要が、二次元コードリーダ１による情報コードＱの基本的な読取動作となる。
【００６７】
以上のように、本発明によれば、グリップ部３０を用いないときには本体部１０に設けられた電池１３によって給電され、グリップ部３０を用いるときには、嵌入部４０に設けられた給電端子３６を介してグリップ部３０側から本体部１０側に給電される。従って、本体部１０単独でも、グリップ部３０を装着した状態でも読取手段に対する電力供給が良好に実現される。さらに、電池１３を収容する収容部１７及び電池蓋１１を収容する蓋入れ部１５をグリップ部３０の装着に兼用しているため、部品点数の増加や装置構成の大型化を抑えつつ、上記構成を実現できることとなる。
【００６８】
また、グリップ部３０において二次電池３１を充電するためのグリップ部側充電回路４４が設けられているため、グリップ部３０内の二次電池３１の充電を外部電力に基づいて好適に行うことができる。
【００６９】
また、本体部１０において二次電池３１を充電するための本体部側充電回路４８が設けられているため、グリップ部３０の二次電池３１の充電を、本体部１０側からの電力供給に基づいて好適に行うことができる。
【００７０】
特に、二次電池３１への充電が、グリップ部側充電回路４４又は本体部側充電回路４８によって行われるため、二次電池３１をグリップ部側からでも本体部１０側からでも充電できるようになる。これにより充電の自由度は一層高まる。
【００７１】
また、グリップ部３０にメモリ４５が設けられているため、グリップ部３０の内部を利用してソフトウェアや各種情報を記憶でき、装置の高機能化を図りやすくなっている。
【００７２】
また、グリップ部３０にＡＣアダプタ９０からの電力供給を受けるためのコネクタ４３が設けられ、外部交流電源を利用してグリップ部３０を直接充電できるようにしている。従って、グリップ部３０が本体部１０に接続されているか否かにかかわらずグリップ部３０の二次電池３１を充電できるため、利便性に優れた構成となる。
【００７３】
また、グリップ部３０が載置部４１を有しており、本体部１０に装着された状態で自立可能に構成されているため、当該二次元コードリーダ１を、定置式の装置としても機能させることができる。
【００７４】
[第２実施形態]
次に、本発明の第２実施形態について説明する。図１１は、第２実施形態に係る光学的情報読取装置のグリップ部と本体部との電気的な接続構成を概略的に説明するブロック図である。図１２は、二次電池、スイッチ、及び各端子の回路構成を概略的に示すブロック図である。第２実施形態に係る光学的情報読取装置（二次元コードリーダ２００）は、内部回路構成が第１実施形態と異なるだけで、それ以外は第１実施形態と同一である。即ち、図７或いは図８の構成が図１１、図１２の構成に変更されており、図１〜図６、図９、図１０の構成は第１実施形態と同一である。なお、第１実施形態と同一の構成の部品については第１実施形態と同一の符号を付し、詳細な説明は省略することとする。なお、第２実施形態以降も本発明の光学的情報読取装置を二次元コードリーダ２００、３００、４００に適用して説明するが、これらはあくまで本発明の光学的情報読取装置の一例であり、二次元コードリーダ以外の光学的情報読取装置（例えばバーコードリーダ等）に適用しても勿論よい。
【００７５】
第２実施形態の二次元コードリーダ２００も、第１実施形態と同様に、本体部１０と、この本体部１０に装着されて一体的に使用可能なグリップ部３０とが設けられおり、本体部１０には、光学的情報を読み取るための受光センサ５２及び制御回路７０（読取手段）と、及び受光センサ５２に電力供給する電池１３を収容する収容部１７とが設けられている（図１〜図６参照）。そして、図２のように本体部１０を把持した状態で本体部１０単独で使用し得ると共に、図６のように本体部１０にグリップ部３０を装着することによりグリップ部３０を把持した状態で使用し得る構成をなしている。本体部１０には、第１実施形態と同様に、受電端子１６と、電池蓋１１と、蓋嵌入れ部１５とが設けられている。受電端子１６は電池１３を収容部１７に収容して使用するとき（図２参照）に電池１３からの電力供給を受けるものである。電池蓋１１は収容部１７を閉塞する構成をなすと共に本体部１０に着脱可能に設けられ、電池１３の収容時に当該電池１３を支持するように機能する。また、蓋嵌入れ部１５は、本体部１０において電池蓋１１と嵌合する形態をなしており、電池蓋１１を嵌め入れさせるように用いられる。なお、これら受電端子１６、電池蓋１１、蓋嵌入れ部１５の機能は第１実施形態と同様である。
【００７６】
図５、図６に示すように、グリップ部３０には、二次電池３１と嵌入部４０とが設けられている。この嵌入部４０は、収容部１７および蓋嵌入れ部１５に嵌め入れる部分であり、この嵌入部４０には、受電端子１６と接触して二次電池３１の電力を供給する給電端子３６が設けられている。このような構成をなす二次元コードリーダ２００は、電池１３を取り外し、収容部１７および蓋嵌入れ部１５に嵌入部４０を嵌入することにより、受電端子１６を給電端子３６に接触させた状態でグリップ部３０を本体部１０に装着できるようになっている。また、このような構成以外にも、二次元コードリーダ２００は、第１実施形態と同様の構成、例えば、載置部４１、コネクタ４３、グリップ部側充電回路４６、メモリ４５、本体部側充電回路４８、ＡＣアダプタ９０を備えており、これらは第１実施形態と同様の機能を有している。
【００７７】
一方、図１２に示すように、本実施形態の二次元コードリーダ２００は、グリップ部３０において信号端子２０１が設けられている点が第１実施形態と異なっている。この信号端子２０１は、グリップ部３０の嵌入部４０において給電端子３６とは異なる位置（例えば、給電端子３６から所定距離離れた近接位置）において露出して配置されており、図１２のように、二次電池３１に設けられたサーミスタＴＨ（サーミスタＴＨは「センサ」の一例に相当する）から当該二次電池３１の異常状態に関する状態信号が与えられる構成をなしている。本実施形態では、収容部１７及び蓋嵌入れ部１５に嵌入部４０が嵌入されたときに信号端子２０１と接続端子２０２とが接続される構成をなしており、接続端子２０２と接続される信号端子２０１の「所定の信号状態」を本体部１０において検出する構成となっている。そして、このような「所定の信号状態」の検出に基づいて、グリップ部３０のスイッチＳＷ２に対する外部操作を本体部１０側で検出可能としている。なお、本実施形態では、制御回路７０が「検出手段」の一例に相当している。
【００７８】
グリップ部３０には、第１実施形態と同様にトリガスイッチとして機能する操作スイッチ３７が設けられており、この操作スイッチ３７と連動するようにスイッチＳＷ２が設けられている。操作スイッチ３７は、例えば、スイッチＳＷ２のオフ状態において１回の押圧操作（ユーザによる外部操作）がなされたときにスイッチＳＷ２をオン状態に保持し続け、さらにそのオン状態において１回の押圧操作（外部操作）がなされたときにスイッチＳＷ２をオフ状態に変化させるような構成とすることができる。或いは、操作スイッチ３７の押圧中（ユーザによる外部操作中）にスイッチＳＷ２をオン状態に維持し続け、押圧されていないときにはスイッチＳＷ２をオフ状態に戻す構成（即ち、操作スイッチ３７を押している最中のみスイッチＳＷ２がオンとなる構成）であってもよい。このようにスイッチＳＷ２は、操作スイッチ３７を介して外部操作される構成となっており、外部操作に応じてオン状態（第１状態）とオフ状態（第２状態）とが切り替わるようになっている。
【００７９】
また、グリップ部３０には、スイッチＳＷ２に対する外部操作に応じて信号端子２０１を所定の信号状態を変化させる信号変化回路２０４が設けられている。この信号変化回路２０４は、スイッチＳＷ２がオフ状態（第１状態）のときに、信号端子２０１に対しサーミスタＴＨの状態に応じた電圧信号（センサＴＨからの状態信号）を与え、スイッチＳＷ２がオン状態（第２状態）に切り替わったときに、信号端子２０１の電圧レベルを所定の低レベル状態（所定レベル状態）に変化させる構成をなしている。なお、この信号変化回路２０４は、「信号変化手段」の一例に相当するものである。
【００８０】
具体的に説明すると、図１２のように、信号端子２０１（Ｔ端子）は、二次電池３１に設けられたサーミスタＴＨの一端と接続されており、信号端子２０１とサーミスタＴＨとを接続する接続ライン２０６にスイッチＳＷ２の一端が接続されている。スイッチＳＷ２の他端は、抵抗Ｒ２の一端と接続されており、抵抗Ｒ２の他端は接地されている。また、サーミスタＴＨの他端（信号端子２０１に接続される側とは反対側）は接地されている。なお、図７、図８、図１１では、給電端子３６、受電端子１６を概略的に示しているが、給電端子３６は、図１２のように、２つの端子（端子３６ａ、３６ｂ）からなり、受電端子１６もこれら端子にそれぞれ接続される２つの端子（図示略）によって構成されている。
【００８１】
図１３（ａ）のように、抵抗Ｒ３とサーミスタＴＨとによって分圧回路が構成され、これら抵抗Ｒ３とサーミスタＴＨとの抵抗比に応じた電圧レベルが信号Ｓ２として出力され、例えばＡＤ変換回路（図示略）を介して変換された後制御回路７０に入力される。また、本実施形態では、サーミスタＴＨが例えばＰＴＣサーミスタによって構成されており、二次電池３１が高温状態となると、サーミスタＴＨの抵抗値が増大し、検出される電圧レベル（信号Ｓ２によって示されるレベル）も増大するようになっている。サーミスタＴＨの抵抗値の変動幅は例えば数百Ω〜数十ｋΩとすることができる。制御回路７０は、信号Ｓ２によって示される電圧レベルがある閾値Ｖｓ１を超えるか否かを検出しており、当該電圧レベルが閾値Ｖｓ１を超える場合には二次電池３１に異常が生じたと判断するように構成されている。なお、閾値Ｖｓ１は、例えば、グリップ部３０が接続された状態であってスイッチＳＷ２がオフ状態であるときにサーミスタＴＨが常温（例えば２５℃）のときの信号端子２０１の電圧レベルＶａ１（即ち、サーミスタＴＨが常温のときの位置Ｐ１（図１３（ａ））の電圧レベル）よりもある程度大きい値に設定することが望ましい（即ち、Ｖａ１＜Ｖｓ１）。このように、本体部１０は、スイッチＳＷ２がオフ状態（第１状態）のときには、信号端子２０１からの電圧信号(状態信号）に基づいて二次電池３１の異常状態（詳しくは二次電池の温度異常状態）を検出している。
【００８２】
一方、スイッチＳＷ２がオン状態（第２状態）に切り替わったときには、「所定の低レベル状態」の検出に基づいてスイッチＳＷ２に対する当該外部操作を検出するようにしている。即ち、このようなオン状態のときには、図１３（ｂ）のように、抵抗Ｒ２とサーミスタＴＨとによって並列回路が構成されるため、サーミスタＴＨが図１３（ａ）と同状態（即ち同抵抗値）であれば、制御回路７０において検出される電圧レベル（即ち、信号端子２０１の電圧レベル）は、図１３（ａ）の場合と比較して低下することとなる。本実施形態では、制御回路７０において検出される信号端子２０１の電圧レベル（信号Ｓ２で与えられる信号レベル）がある閾値Ｖｓ２未満となったか否かを検出しており、信号端子２０１の電圧レベルが閾値Ｖｓ２未満となった場合には、スイッチＳＷ２がオン状態となったものと判断するように構成されている。なお、閾値Ｖｓ２は、例えば、グリップ部３０が接続された状態であってスイッチＳＷ２がオン状態であるときにサーミスタＴＨが常温（例えば２５℃）のときの信号端子２０１の電圧レベルＶａ２（即ち、サーミスタＴＨが常温のときの位置Ｐ２（図１３（ｂ））の電圧レベル）よりもある程度大きく、かつグリップ部３０が接続された状態であってスイッチＳＷ２がオフ状態であるときにサーミスタＴＨが常温（例えば２５℃）のときの信号端子２０１の電圧レベルＶａ１（即ち、サーミスタＴＨが常温（例えば２５℃）のときの位置Ｐ１の電圧レベル）よりもある程度小さい値に設定することが望ましい（即ち、Ｖａ２＜Ｖｓ２＜Ｖａ１）。
【００８３】
本実施形態に係る二次元コードリーダ２００は、制御回路７０によって「所定の信号状態」が検出された場合（即ち、制御回路７０によって信号端子２０１の電圧レベルが閾値Ｖｓ２未満と判断された場合）、それをトリガとして情報コードＱの読取処理を開始する。具体的には、信号端子２０１の電圧レベルが閾値Ｖｓ２未満となったことを制御回路７０が検出すると、この制御回路７０は同期信号を基準に照明光源５１に発光信号を出力する。そして、当該発光信号を受けた照明光源５１は、ＬＥＤを発光させて照明光Ｌｆを照射し、この照明光Ｌｆが情報コードＱにて反射した反射光Ｌｒが読取口１９（図２等）およびフィルタ５５を介して結像レンズ５７に入射する。そして、この結像レンズ５７により、受光センサ５３の受光面５３ａに情報コードＱの像（即ちコード画像）が結像され、受光センサ５３からはコード画像に応じた受光信号が出力される。受光センサ５３から出力される受光信号は、画像データとしてメモリに記憶され、この画像データは２値化処理された後、デコード処理が行われる。
【００８４】
以上説明した本実施形態の構成によれば以下のような効果が得られる。
グリップ部３０の嵌入部４０に設けられた信号端子２０１に、二次電池３１に設けられたサーミスタＴＨ（センサ）から当該二次電池３１の異常状態に関する状態信号が与えられると共に、スイッチＳＷ２が操作されることに応じて、この信号端子２０１が「所定の信号状態」に変化するように構成されている。さらに本体部１０には、嵌入時に信号端子２０１と接続される接続端子２０２が設けられており、グリップ部３０のスイッチＳＷ２に対する外部操作を、「所定の信号状態」の検出に基づいて本体部１０側で検出している。このようにすれば、二次電池３１の状態信号を利用してスイッチＳＷ２に対する外部操作を本体部１０側で検出でき、またその検出のための回路構成や端子構成を大幅に簡素化できる。
【００８５】
また、本体部１０側で「所定の信号状態」が検出された場合に光学的情報の読取処理を開始するようにしている。このようにすれば、二次電池３１の状態信号を利用して読取処理の開始トリガ信号を生成、検出でき、トリガ信号を発生、検出するための特別な独立構成を設けずに済む。
【００８６】
また、スイッチＳＷ２が第１状態のときに信号端子２０１に対してサーミスタＴＨ（センサ）からの状態信号を与えており、このとき本体部側では、信号端子２０１からの状態信号に基づいて二次電池３１の異常状態の検出を行うようにしている。このようにすれば、スイッチＳＷ２が第１状態のときには、本体部１０側で二次電池３１の異常状態の検出を良好に行うことができる。また、スイッチＳＷ２が第２状態に切り替わったときに信号端子２０１が所定レベル状態に変化するようになっており、このとき本体部１０側では、所定レベル状態の検出に基づいてスイッチＳＷ２に対する外部操作を検出するようにしている。従って、信号端子２０１を利用してスイッチＳＷ２を第２状態に切り替える外部操作をも良好に検出できるようになる。このように、信号端子２０１を異常状態の検出と外部操作の検出に良好に兼用できるため、簡易且つ部品点数を抑えた構成にて高機能を好適に実現できる。具体的には、スイッチＳＷ２がオン状態に切り替わったとき、本体部１０側では、所定の低レベル状態（信号端子２０１の電圧レベルが閾値Ｖｓ２未満となる状態）の検出に基づいてスイッチＳＷ２に対する外部操作を検出している。このようにすれば、二次電池３１の異常状態の検出と、スイッチＳＷ２に対する外部操作の検出と、を共に本体部１０側で行いうる構成を、信号端子２０１を利用して簡易且つ良好に実現できる。
【００８７】
[第３実施形態]
次に、本発明の第３実施形態について説明する。図１４は、第３実施形態の二次元コードリーダにおけるグリップ部と本体部との電気的な接続構成を概略的に説明するブロック図である。図１５は、図１４の二次元コードリーダの二次電池、スイッチ、及び各端子の回路構成を概略的に示すブロック図である。第３実施形態で示す二次元コードリーダ３００は、信号変化回路３１４の構成が第２実施形態の信号変化回路２０４と異なり、それ以外の構成は第２実施形態と同様である。よって第２実施形態と同様の部分については第２実施形態と同一の符号を付し、詳細な説明は省略することとする。なお、図１〜図６、図９、図１０の構成は第１実施形態と同一であるため、これら図面にて示される各構成ついては第１実施形態と同一の符号を付し、詳細な説明は省略する。
【００８８】
第３実施形態の二次元コードリーダ３００も、第１実施形態と同様に、本体部１０と、この本体部１０に装着されて一体的に使用可能なグリップ部３０とが設けられおり、本体部１０には、光学的情報を読み取るための受光センサ５２及び制御回路７０（読取手段）と、及び受光センサ５２に電力供給する電池１３を収容する収容部１７とが設けられている（図１〜図６参照）。そして、図２のように本体部１０を把持した状態で本体部１０単独で使用し得ると共に、図６のように本体部１０にグリップ部３０を装着することによりグリップ部３０を把持した状態で使用し得る構成をなしている。本体部１０には、第１実施形態と同様に、受電端子１６と、電池蓋１１と、蓋嵌入れ部１５とが設けられている。受電端子１６は電池１３を収容部１７に収容して使用するとき（図２参照）に電池１３からの電力供給を受けるものである。電池蓋１１は収容部１７を閉塞する構成をなすと共に本体部１０に着脱可能に設けられ、電池１３の収容時に当該電池１３を支持するように機能する。また、蓋嵌入れ部１５は、本体部１０において電池蓋１１と嵌合する形態をなしており、電池蓋１１を嵌め入れさせるように用いられる。なお、これら受電端子１６、電池蓋１１、蓋嵌入れ部１５の機能は第１実施形態と同様である。
【００８９】
図５、図６に示すように、グリップ部３０には、二次電池３１と嵌入部４０とが設けられている。この嵌入部４０は、収容部１７および蓋嵌入れ部１５に嵌め入れる部分であり、この嵌入部４０には、受電端子１６と接触して二次電池３１の電力を供給する給電端子３６が設けられている。このような構成をなす二次元コードリーダ３００は、電池１３を取り外し、収容部１７および蓋嵌入れ部１５に嵌入部４０を嵌入することにより、受電端子１６を給電端子３６に接触させた状態でグリップ部３０を本体部１０に装着できるようになっている。また、このような構成以外にも、二次元コードリーダ３００は、第１実施形態と同様の構成、例えば、載置部４１、コネクタ４３、グリップ部側充電回路４６、メモリ４５、本体部側充電回路４８、ＡＣアダプタ９０を備えており、これらは第１実施形態と同様の機能を有している。
【００９０】
図１４に示すように、本実施形態の二次元コードリーダ３００も、グリップ部３０において信号端子２０１が設けられている点が第１実施形態と異なっている。この信号端子２０１は、グリップ部３０の嵌入部４０において給電端子３６とは異なる位置（例えば、給電端子３６から所定距離離れた近接位置）において露出して配置されており、図１５のように、二次電池３１に設けられたサーミスタＴＨ（サーミスタＴＨは「センサ」の一例に相当する）から当該二次電池３１の異常状態に関する状態信号が与えられる構成をなしている。本実施形態では、収容部１７及び蓋嵌入れ部１５に嵌入部４０が嵌入されたときに信号端子２０１と接続端子２０２とが接続される構成をなしており、接続端子２０２と接続される信号端子２０１の「所定の信号状態」を本体部１０において検出する構成となっている。そして、このような「所定の信号状態」の検出に基づいて、グリップ部３０のスイッチＳＷ２に対する外部操作を本体部１０側で検出可能としている。なお、本実施形態では、制御回路７０が「検出手段」の一例に相当している。
【００９１】
グリップ部３０に設けられる操作スイッチ３７及びスイッチＳＷ２は第２実施形態と同様の構成をなしている。操作スイッチ３７は、例えば、スイッチＳＷ２のオフ状態において１回の押圧操作（ユーザによる外部操作）がなされたときにスイッチＳＷ２をオン状態に保持し続け、さらにそのオン状態において１回の押圧操作（外部操作）がなされたときにスイッチＳＷ２をオフ状態に変化させるような構成とすることができる。或いは、操作スイッチ３７の押圧中（ユーザによる外部操作中）にスイッチＳＷ２をオン状態に維持し続け、押圧されていないときにはスイッチＳＷ２をオフ状態に戻す構成（即ち、操作スイッチ３７を押している最中のみスイッチＳＷ２がオンとなる構成）であってもよい。このようにスイッチＳＷ２は、操作スイッチ３７を介して外部操作される構成となっており、外部操作に応じてオン状態（第１状態）とオフ状態（第２状態）とが切り替わるようになっている。
【００９２】
また、グリップ部３０には、スイッチＳＷ２に対する外部操作に応じて信号端子２０１を所定の信号状態を変化させる信号変化回路３１４が設けられている。図１５に示すように、スイッチＳＷ２は、二次電池３１に設けられたサーミスタＴＨ（センサ）から信号端子２０１までの信号ライン３０３をオンオフする構成をなしており、信号変化回路３１４は、スイッチＳＷ２がオン状態のときに、サーミスタＴＨと信号端子２０１とを接続して二次電池３１の異常状態に関する状態信号（図１５の例では二次電池３１の温度状態を示す信号）を信号端子２０１に与え、スイッチＳＷ２がオフ状態のときに、サーミスタＴＨと信号端子２０１との接続を遮断する構成をなしている。なお、この信号変化回路３１４は、「信号変化手段」の一例に相当するものである。
【００９３】
具体的には、図１５のように、信号端子２０１（Ｔ端子）は、スイッチＳＷ２を途中に介在させた状態で二次電池３１に設けられたサーミスタＴＨの一端と接続されている。即ち、信号端子２０１、スイッチＳＷ２、サーミスタＴＨが直列に接続された構成をなっている。また、サーミスタＴＨの他端（スイッチＳＷ２に接続される側とは反対側）は接地されている。なお、給電端子３６、受電端子１６の構成は第２実施形態と同一である。
【００９４】
信号端子２０１と接続端子２０２とが接続された状態でスイッチＳＷ２がオン状態となると、抵抗Ｒ３とサーミスタＴＨとによって分圧回路が構成され、これら抵抗Ｒ３とサーミスタＴＨとの抵抗比に応じた信号端子２０１の電圧レベルが信号Ｓ２として出力される。信号端子２０１の電圧レベル（信号Ｓ２にて示される電圧レベル）は、例えばＡＤ変換回路（図示略）を介してデジタル値に変換された後、制御回路７０に入力される。制御回路７０では、信号端子２０１の電圧レベルが閾値Ｖｓ３未満となるか否かを検出しており、信号端子２０１の電圧レベルが閾値Ｖｓ３未満の場合にはスイッチＳＷ２に対して外部操作が与えられたと判断するようにしている。なお、信号端子２０１と接続端子２０２とが接続された状態でスイッチＳＷ２がオン状態となったときの信号端子２０１の電圧レベル（抵抗Ｒ３とサーミスタＴＨとによって分圧回路が構成されたときの分圧比に応じた電圧レベル）は、信号端子２０１と接続端子２０２とが接続された状態でスイッチＳＷ２がオフ状態となっているときの信号端子２０１の電圧レベル（図１５の例ではＶ１）、或いは信号端子２０１と接続端子２０２とが接続されていない非接続時の接続端子２０２の電圧レベル（図１５の例ではＶ１）よりも相当低下するため、閾値Ｖｓ３は、この非接続時の接続端子２０２の電圧レベルＶ１よりもある程度小さい値に設定することが望ましい（即ちＶｓ３＜Ｖ１）。
【００９５】
上記のように、本実施形態では、信号端子２０１に対して二次電池３１の異常状態に関する状態信号が与えられるとき（即ち、信号端子２０１に対してサーミスタＴＨの抵抗値を特定し得る分圧レベル信号が与えられるとき）、制御回路７０に入力される電圧レベルが閾値Ｖｓ３未満となるように構成されており、本体部１０では、上記状態信号の出力開始（即ち、抵抗Ｒ３とサーミスターＴＨによる分圧回路が構成されたときの分圧レベル信号の出力開始）に基づき、スイッチＳＷ２に対してなされた外部操作を検出するようにしている。つまり、本体部１０の制御回路７０は、信号端子２０１の電圧レベルがＶｓ３未満となったときにスイッチＳＷ２に対して外部操作が行われたと判断しており、この外部操作の検出をトリガとして第２実施形態と同様の読取処理を行うように構成されている。
【００９６】
なお、スイッチＳＷ２がオン状態となっているときに二次電池３１の異常状態の検出を行うようにしてもよい。例えば、サーミスタＴＨがＮＴＣサーミスタによって構成されている場合、二次電池３１が高温状態となると、サーミスタＴＨの抵抗値が低下し、検出される電圧レベル（信号Ｓ２によって示されるレベル）も低下する。このような構成の場合、信号端子２０１と接続端子２０２とが接続され且つスイッチＳＷ２がオン状態に設定され、更にサーミスタＴＨが常温（例えば２５℃）であるときの信号端子２０１の電圧レベルをＶｂ１とした場合、このＶｂ１よりもわずかに高いレベルであってかつ電源電圧Ｖ１よりも低い電圧レベルの閾値Ｖｓ３を設定し（Ｖｂ１＜Ｖｓ３＜Ｖ１）、更に上記電圧レベルＶｂ１よりもある程度低いレベルの別の閾値Ｖｓ４を設定するようにすればよい。この場合、制御回路７０において検出された信号端子２０１の電圧レベルが閾値Ｖｓ３未満であって且つ閾値Ｖｓ４以上であれば、これをトリガとして第２実施形態と同様の読取処理を行えばよく、信号端子２０１の電圧レベルが閾値Ｖｓ４未満であれば二次電池３１が異常状態（高温状態）であると判断して所定処理（例えばランプや液晶表示器などによる表示処理）を行うようにすればよい。
【００９７】
本実施形態の二次元コードリーダ３００は、二次電池３１に設けられたサーミスタＴＨ（センサ）から信号端子２０１までの信号ライン３０３をスイッチＳＷ２によってオンオフしており、スイッチＳＷ２がオン状態のときに、サーミスタＴＨと信号端子２０１とを接続してサーミスタＴＨの状態を表す状態信号を信号端子２０１に与え、スイッチＳＷ２がオフ状態のときに、サーミスタＴＨと信号端子２０１との接続を遮断するようにしている。そして、本体部１０側では、スイッチＳＷ２に対する外部操作を、状態信号の出力開始（抵抗Ｒ３とサーミスターＴＨとによって分圧回路が構成されたときの、信号端子２０１からの分圧レベル信号の出力開始）を検出することで検出している。このように状態信号の有無を本体部１０側で検出するようにすれば、スイッチＳＷ２に対する外部操作を本体部１０側で精度高く検出できるようになり、その検出のための構成も複雑化せずに済む。
【００９８】
[第４実施形態]
次に、本発明の第４実施形態について説明する。図１６は、第４実施形態の二次元コードリーダにおけるグリップ部と本体部との電気的な接続構成を概略的に説明するブロック図である。また、図１７は、図１６の二次元コードリーダの二次電池、スイッチ、及び各端子の回路構成を概略的に示すブロック図である。なお、本実施形態の二次元コードリーダ４００は、信号変化回路４１４の構成が第３実施形態の信号変化回路３１４と異なり、それ以外の構成は第３実施形態と同様である。よって異なる部分について重点的に説明することとする。
【００９９】
本実施形態の二次元コードリーダ４００では、スイッチＳＷ３が３状態、即ち、第１状態（スイッチＳＷ３’、ＳＷ３”のいずれもオフ状態となる非接続状態）と、第２状態（スイッチＳＷ３’がオン状態となる第１接続状態）と、第３状態（スイッチＳＷ３”のみがオン状態となる第２接続状態）とで切り替わる構成をなしている。スイッチＳＷ３は、第１状態のときには、信号端子２０１とサーミスタＴＨとの接続を遮断するように構成されている。また、第２状態のときには信号端子２０１とサーミスタＴＨの一端とを抵抗Ｒ４を介さずに直列に接続し、第３状態のときには信号端子２０１と抵抗Ｒ４とサーミスタＴＨとを直列に接続するように機能する。なお、スイッチＳＷ３は、このような３状態の切替が可能なスイッチであればよく、図１７のようにオンオフ切替可能な２つのスイッチを用いてもよく、公知の多段スイッチによって実現してもよい。なおスイッチＳＷ３は、操作スイッチ４３７と連動する構成をなしており、操作スイッチ４３７は、外部操作により、スイッチＳＷ３の３状態に対応した３位置に変化させることができるようになっている。
【０１００】
この構成では、スイッチＳＷ３が第１状態（遮断状態）のときには制御回路７０に対して電圧Ｖ１が与えられ、第２状態（スイッチＳＷ３’が接続された状態）のときには抵抗Ｒ３とサーミスタＴＨによって図１３（ａ）と同様の分圧回路が構成され、抵抗Ｒ３とサーミスタＴＨとの抵抗比に応じた電圧レベルが信号Ｓ２として出力される。一方、スイッチＳＷ３が第３状態（スイッチＳＷ３”のみが接続された状態）のときには、抵抗Ｒ３、抵抗Ｒ４、サーミスタＴＨが直列接続されて分圧回路が構成されるため、サーミスタＴＨの抵抗値が同じであれば信号端子２０１の電圧レベルは第２状態に比べて上昇する。従って、信号端子２０１と接続端子２０２とが接続され且つスイッチＳＷ３が第３状態に設定され、更にサーミスタＴＨ２が常温状態（例えば２５℃）となったときの信号端子２０１の電圧レベルをＶｃ１とした場合、このＶｃ１よりもある程度高いレベルであって且つ電圧Ｖ１よりも低いレベルの閾値Ｖｓ５を設定することで第１状態と第３状態とをまず区別できるようになる（即ち、Ｖｃ１＜Ｖｓ５＜Ｖ１）。また、信号端子２０１と接続端子２０２とが接続され且つスイッチＳＷ３が第２状態に設定され、更にサーミスタＴＨ２が常温状態（例えば２５℃）のときの信号端子２０１の電圧レベルをＶｃ２とした場合、このＶｃ２よりもある程度高いレベルであって、且つ上記Ｖｃ１よりもある程度低いレベルの閾値Ｖｓ６を設定することで第２状態と第３状態とを区別できるようになる（即ち、Ｖｃ２＜Ｖｓ６＜Ｖｃ１）。この場合、制御回路７０で検出される信号端子２０１の電圧レベルがＶｓ５以上であれば、スイッチＳＷ１が第１状態であると判断される。また、信号端子２０１の電圧レベルがＶｓ５未満であってＶｓ６以上であれば第３状態と判断される。また、信号端子２０１の電圧レベルがＶｓ６未満であれば第２状態と判断される。
【０１０１】
なお、本実施形態では、抵抗Ｒ３とサーミスタＴＨとによって構成される分圧回路によって信号端子２０１に分圧信号が与えられる信号状態（即ち、信号端子２０１の電圧レベルが閾値Ｖｓ６未満となる状態）が「所定の信号状態」に相当している。また、抵抗Ｒ３と抵抗Ｒ４とサーミスタＴＨとによって構成される分圧回路によって信号端子２０１に分圧信号が与えられる信号状態（即ち、信号端子２０１の電圧レベルが閾値Ｖｓ５未満であって閾値Ｖｓ６以上となる状態）が「第２の変化状態」に相当している。
【０１０２】
本体部１０は、上記「所定の信号状態」が制御回路７０によって検出された場合（即ち、信号端子２０１の電圧レベルが閾値Ｖｓ６未満であることが制御回路７０によって検出された場合）、当該制御回路７０によって第２実施形態と同様の読取処理が開始される。また、「第２変化状態」が制御回路７０によって検出された場合、（即ち、信号端子２０１の電圧レベルが閾値Ｖｓ５未満であって閾値Ｖｓ６以上であることが制御回路７０によって検出された場合）、読取処理の開始とは異なる処理が行われる。「読取処理の開始とは異なる処理」とは、例えば、公知のマーカ光照射処理（例えば、図示しないレーザ光源を駆動して読取対象物に対してマーカ光を照射する処理）やモード切替処理（例えば解析モードに切り替えて解析モードを実行する処理）などが考えられるが、これ以外の処理であっても勿論よい。
【０１０３】
本実施形態では、スイッチＳＷ３が第２状態のときに信号端子２０１を「所定の信号状態」に変化させ、第３状態のときに信号端子２０１を所定の信号状態とは異なる「第２変化状態」に変化させる構成となっている。そして、本体部１０は、「所定の信号状態」の検出に基づき、グリップ部３０のスイッチＳＷ２が第２状態に切り替えられたことを検出し、「第２変化状態」の検出に基づき、スイッチＳＷ３が第３状態に切り替えられたことを検出している。また、本体部１０は、信号端子２０１の電圧レベルが「所定の信号状態」「第２変化状態」と異なる高レベル状態（信号端子２０１の電圧レベルがＶｓ５以上となる状態）のときにスイッチＳＷ３が第１状態であると把握するように構成されている。このようにすれば、本体部１０側でスイッチＳＷ３に関する３つの状態（第１状態、第２状態、第３状態）を適切に把握できるようになり、また、そのための回路構成や端子構成を簡易な構成とすることができる。
【０１０４】
また、本体部１０は、「所定の信号状態」を検出した場合に読取処理を開始し、「第２変化状態」を検出した場合に、読取処理の開始とは異なる処理を行うように構成されている。このようにすれば、グリップ部３０における複数の操作状態にそれぞれ対応させて本体部側で異なる複数の処理を実行できるようになり、操作性、機能性に優れた構成を実現できる。
【０１０５】
［他の実施形態]
本発明は上記記述及び図面によって説明した実施形態に限定されるものではなく、例えば次のような実施形態も本発明の技術的範囲に含まれる。
【０１０６】
上記実施形態１〜４では、光学情報読取装置として二次元コードリーダ１を例示したが、バーコード等の一次元コードを読み取る一次元コードリーダとして構成されていてもよく、３次元コードを読み取る三次元コードリーダとして構成されていてもよい。
【０１０７】
上記実施形態１〜４では、グリップ部３０にメモリ４５を着脱可能なメモリスロットを設けた構成を例示したが、着脱不能な常設メモリが設けられる構成であってもよい。また、グリップ部３０にメモリが設けられない構成としてもよい。
【０１０８】
上記実施形態１〜４では 、本体部側充電回路４８及びグリップ部側充電回路４４を設け、二次電池３１をグリップ部３０側からでも本体部１０側からでも充電できる構成としているが、いずれか一方のみから充電しうる構成であってもよい。
【０１０９】
上記実施形態１〜４では、 載置部４１が設けられた構成を例示しているが、このような載置部４１を省略する構成としてもよい。
【０１１０】
上記実施形態では、センサの例としてサーミスタを例示したが、これ以外の公知の温度センサであってもよく、他種のセンサ（例えば過電流検出センサ、充電容量センサ等）であってもよい。
【０１１１】
第４実施形態では、スイッチが第１状態と、第２状態と、第３状態とで切り替わり、第２状態のときに信号端子を所定の信号状態に変化させ、第３状態のときに信号端子を第２の変化状態に変化させる例を示したが、第４実施形態とは異なる構成でこのような機能を実現してもよい。図１８は、図１７の変形例を示す図であり、図１８のスイッチＳＷ３は図１７のスイッチＳＷ３と同様の構成をなしており、少なくとも３状態、即ち、第１状態（非接続状態）と、第２状態（第１接続状態）と、第３状態（第２接続状態）とで切り替わる構成をなしている。
図１８の例では、スイッチＳＷ３が第１状態（スイッチＳＷ３’，ＳＷ３”のいずれも接続されていない非接続状態）のときには、信号端子２０１とサーミスタＴＨとの接続状態が維持され、抵抗Ｒ３とサーミスタＴＨによって図１３（ａ）と同様の分圧回路が構成され、抵抗Ｒ３とサーミスタＴＨとの抵抗比に応じた電圧レベルが信号Ｓ２として出力される。一方、スイッチＳＷ３が第３状態（スイッチＳＷ３”のみが接続された状態）のときには、図１３（ｂ）と同様の分圧回路が構成されるため、サーミスタＴＨの抵抗値が同じであれば第３状態のときの信号端子２０１の電圧レベルは第１状態に比べて低下する。従って、信号端子２０１と接続端子２０２とが接続され且つスイッチＳＷ３が第１状態に設定され、更にサーミスタＴＨ２が常温状態（例えば２５℃）となったときの信号端子２０１の電圧レベルをＶｄ１とし、他方、信号端子２０１と接続端子２０２とが接続され且つスイッチＳＷ３が第３状態に設定され、更にサーミスタＴＨ２が常温状態（例えば２５℃）のときの信号端子２０１の電圧レベルをＶｄ２とした場合、このＶｄ２よりもある程度高いレベルであって且つＶｄ１よりも低いレベルの閾値Ｖｓ７を設定することで第１状態と第３状態とをまず区別できるようになる（即ち、Ｖｄ２＜Ｖｓ７＜Ｖｄ１）。また、グランドレベルＶｇよりもある程度高いレベルであって、且つ上記Ｖｄ２よりもある程度低いレベルの閾値Ｖｓ８を設定することで第２状態と第３状態とを区別できるようになる（即ち、Ｖｇ＜Ｖｓ８＜Ｖｄ２）。
この場合、制御回路７０で検出される信号端子２０１の電圧レベルがＶｓ７以上であれば、スイッチＳＷ１が第１状態又は信号端子２０１と接続端子２０２とが非接続状態であると判断される。また、信号端子２０１の電圧レベルがＶｓ７未満であってＶｓ８以上であれば第３状態と判断される。また、信号端子２０１の電圧レベルがＶｓ８未満であれば第２状態と判断される。
なお、この例では、信号端子２０１がグランドレベルとなる信号状態（即ち、信号端子２０１の電圧レベルが閾値Ｖｓ８未満となった状態）が「所定の信号状態」に相当している。また、抵抗Ｒ３と抵抗Ｒ４とサーミスタＴＨとによって構成される分圧回路（図１３（ｂ）参照）によって信号端子２０１に分圧信号が与えられる信号状態（即ち、信号端子２０１の電圧レベルが閾値Ｖｓ７未満であって閾値Ｖｓ８以上となる状態）が「第２の変化状態」に相当している。
本体部１０は、上記「所定の信号状態」が制御回路７０によって検出された場合（即ち、信号端子２０１の電圧レベルが閾値Ｖｓ８未満であることが制御回路７０によって検出された場合）、当該制御回路７０によって第２実施形態と同様の読取処理が開始される。また、「第２変化状態」が制御回路７０によって検出された場合、（即ち、信号端子２０１の電圧レベルが閾値Ｖｓ７未満であって閾値Ｖｓ８以上であることが制御回路７０によって検出された場合）、読取処理の開始とは異なる処理（例えば、公知のマーカ光照射処理、モード切替処理等）が行われる。
なお、この例では、サーミスタＴＨとしてＰＴＣサーミスタを用い、上記Ｖｄ１よりもある程度高くＶ１よりも低い閾値Ｖｓ９を設定することで二次電池３１の異常検出を行うことができるようになる。この場合、Ｖ１よりもわずかに低くＶｓ９よりもある程度高い閾値Ｖｓ１０を設定することで、信号端子２０１と接続端子２０２とが接続されていない状態と区別することができ、制御回路７０に入力される電圧レベル（Ｓ２）が閾値Ｖｓ９よりも大きく、閾値Ｖｓ１０よりも小さい場合に二次電池３１が異常状態であると判断するように構成できる。
【図面の簡単な説明】
【０１１２】
【図１】図１は、本発明の第１実施形態に係る二次元コードリーダの電気的構成を概略的に例示するブロック図である。
【図２】図２は、第１実施形態に係る二次元コードリーダにおいて、グリップ部を装着しない態様を例示する側面図である。
【図３】図３は、本体部について電池蓋側から見た構成を部分的に示す斜視図である。
【図４】図４は、図３から電池蓋を取り外した状態を示す斜視図である。
【図５】図５は、第１実施形態に係る二次元コードリーダにおいて、電池及び電池蓋を取り外し、グリップ部を装着する様子を説明する説明図である。
【図６】図６は、第１実施形態に係る二次元コードリーダにおいて、グリップ部を装着した態様を例示する側面図である。
【図７】図７は、グリップ部と本体部との電気的な接続構成を概略的に説明するブロック図である。
【図８】図８は、図７の一部を変更した別例を示す図であり、グリップ部から本体部へのトリガ信号の伝達を無線方式で行う例を示すブロック図である。
【図９】図９は、第１実施形態に係る二次元コードリーダにおいて載置部を用いる態様を例示する側面図である。
【図１０】図１０は、載置部の概略構成を示す斜視図である。
【図１１】図１１は、第２実施形態の二次元コードリーダにおけるグリップ部と本体部との電気的な接続構成を概略的に説明するブロック図である。
【図１２】図１２は、図１１の二次元コードリーダの二次電池、スイッチ、及び各端子の回路構成を概略的に示すブロック図である。
【図１３】図１３（ａ）は、スイッチＳＷ２がオフ状態のときの等価回路を示す回路図であり、図１３（ｂ）は、スイッチＳＷ２がオン状態の等価回路を示す回路図である。
【図１４】図１４は、第３実施形態の二次元コードリーダにおけるグリップ部と本体部との電気的な接続構成を概略的に説明するブロック図である。
【図１５】図１５は、図１４の二次元コードリーダの二次電池、スイッチ、及び各端子の回路構成を概略的に示すブロック図である。
【図１６】図１６は、第４実施形態の二次元コードリーダにおけるグリップ部と本体部との電気的な接続構成を概略的に説明するブロック図である。
【図１７】図１７は、図１６の二次元コードリーダの二次電池、スイッチ、及び各端子の回路構成を概略的に示すブロック図である。
【図１８】図１８は、図１７の変形例を示す図である。
【符号の説明】
【０１１３】
１,２００,３００,４００…二次元コードリーダ（光学的情報読取装置）
１０…本体部
１１…電池蓋
１３…電池
１５…蓋嵌入れ部
１６…受電端子
１７…収容部
３０…グリップ部
３１…二次電池
３６…給電端子
４０…嵌入部
４１…載置部
４３…コネクタ
４４…グリップ部側充電回路
４５…メモリ
４８…本体部側充電回路
５３…受光センサ（読取手段）
７０…制御回路（読取手段）
９０…ＡＣアダプタ
２０１…信号端子
２０２…接続端子
２０４,３１４,４１４…信号変化回路（信号変化手段）
【図１】
2008234634.tif 000003
【図２】
2008234634.tif 000004
【図３】
2008234634.tif 000005
【図４】
2008234634.tif 000006
【図５】
2008234634.tif 000007
【図６】
2008234634.tif 000008
【図７】
2008234634.tif 000009
【図８】
2008234634.tif 000010
【図９】
2008234634.tif 000011
【図１０】
2008234634.tif 000012
【図１１】
2008234634.tif 000013
【図１２】
2008234634.tif 000014
【図１３】
2008234634.tif 000015
【図１４】
2008234634.tif 000016
【図１５】
2008234634.tif 000017
【図１６】
2008234634.tif 000018
【図１７】
2008234634.tif 000019
【図１８】
2008234634.tif 000020